(57)【要約】【課題】  誘導灯の透明ケ−ス内の赤色ＬＥＤと青色ＬＥＤを交互に点滅するのに切り換えスイッチを操作していた動力をなくすため、赤色ＬＥＤと青色ＬＥＤの中間に遮光板を配して透明ケ−ス内に同時に赤色と青色ＬＥＤを点滅することである。【解決手段】  誘導灯透明ケ−スの内中央に、黒色遮光紙の両面に発光性のある白色フイルムを貼り合わせて一体化した遮光板が赤色ＬＥＤと青色ＬＥＤの中間に配され、透明ケ−ス内の赤色ＬＥＤと青色ＬＥＤの明かりを遮光板で遮断し、電池ケ−スに設けた２本の突起が、電池ケ−スカバ−の内表面の内筒の２本のラセン状の溝に、２本の突起が填め込み挿着されて一体化した誘導灯の取ってを上下に移動させることで誘導灯自身の重みで、誘導灯が回転して透明ケ−スの赤色部と青色部が入れ代わり、赤色部と青色部を交互に示す合図ができる。【選択図】  図１
0003107498.tif 000002
【実用新案登録請求の範囲】
【請求項１】
交通整理などにおいて使用されるハンドシグナルであって、前記透明ケ−スの内部中央に、黒色遮光板の両面に発光性を有する白色フイルムを両面に貼着して一体化した遮光板を配し、前記遮光板の一方の面側に赤色ＬＥＤが９０°、他方面側に青色ＬＥＤが複数個並列に導線を介して９０°に設けられ、赤色ＬＥＤを設けた透明ケ−スの内壁側に蛍光色で着色された透明性の赤色フイルムと赤色フイルムの間に黒色フイルムを挟み込んだ赤色フイルムの表面に白色で停止を意味する文字や図形を現した赤色フイルムと、前記青色ＬＥＤを設けた透明ケ−スの内壁側に、蛍光色で着色された透明性の青色フイルムと青色フイルムの間に黒色フイルムを挟み込んだ青色フイルムの表面に白色で発進を意味する文字や図形を現した青色フイルムを設け、透明ケ−スの内部で赤色ＬＥＤと青色ＬＥＤとを同時に点滅可能としたことを特徴とするハンドシグナル誘導灯。
【請求項２】
請求項１記載のハンドシグナル誘導灯において、前記透明ケ−スの一端部にスイッチケ−スと円筒形の電池ケ−スが連接され、電池ケ−スの一端部とスイッチケ−スの一端部が挿脱着可能で、電池ケ−ス外表面に２本の突起が設けられた突起を、円筒形の電池ケ−スカバ−の外表面上部に取っ手と、電池ケ−スカバ−尾底に支持受け棒が設けられた電池ケ−スカバ−と電池ケ−スが連接され、電池ケ−スカバ−の内表面に設けられた内筒の約中央部まで２本のラセン状の溝が設けられた内筒のラセン状溝に、前記電池ケ−スの外表面に設けた２本の突起に填め込み、電池ケ−スの外表面と電池ケ−スカバ−の内表面に設けられた内筒の内表面がスライド可能に嵌合させて前記透明ケ−スを回転可能にしたことを特徴とするハンドシグナル誘導灯。
【考案の詳細な説明】
【技術分野】
【０００１】  本考案は、交通整理の時などに用いられるハンドシグナル誘導灯に関するものである。
【背景技術】
【０００２】  従来の誘導灯には、円筒形の透明ケ−ス内に赤色ＬＥＤと青色ＬＥＤを配置して、透明ケ−ス内の赤色ＬＥＤと青色ＬＥＤを、切り換えスイッチで交互に点灯させるように施したものがある（例えば、特許文献１参照）。
【特許文献１】  特開平２０００−２２２９０１号公報。
【考案の開示】
【考案が解決しようとする課題】
【０００３】  以上に述べた従来の誘導灯では、赤色ＬＥＤと青色ＬＥＤを円筒形の透明ケ−ス内で点灯させるのに、切り換えスイッチを操作して赤色ＬＥＤと青色ＬＥＤを交互に点灯させていたので、切り換えスイッチを長時間操作して、赤色ＬＥＤと青色ＬＥＤを点灯させるという動力を伴い、誘導員の身体的負担と疲労を伴わせるものであった。【０００４】  本考案は、このような従来の構成が有していた問題を解決しようとするもので、同一の透明ケ−ス内に同時に赤色ＬＥＤと青色ＬＥＤを点灯することを目的とするものである。
【課題を解決するための手段】
【０００５】  そして、本考案は上記目的を達成するために、透明ケ−スの内部中央に発光性を有する白色フイルムを両面に貼着して一体化した黒色遮光板を配し、前記黒色遮光板の一方の面側に赤色ＬＥＤが、他方面側に青色ＬＥＤが複数個並列に導線を介して設けられ、前記赤色ＬＥＤを設けた透明ケ−スの内壁側に透明性の赤色フイルムと赤色フイルムの間に黒色フイルムを挟み込んだ赤色フイルムの表面に白色で停止を意味する文字や図形を現したフイルムと、前記青色ＬＥＤと青色フイルムの間に黒色フイルムを挟み込んだ青色フイルムを設けた透明ケ−ス内壁側に透明性の青色フイルムの表面に白色で発進を意味する文字や図形を現したフイルムを設け、前記透明ケ−スの内部で赤色ＬＥＤと青色ＬＥＤを同時に点滅することができるハンドシグナル誘導灯を提供する。【０００６】  なお、前記誘導灯を回転させるために、透明ケ−スの一端部にスイッチケ−スと円筒形の電池ケ−スが連接され、前記電池ケ−スの一端部に一端部が挿脱着可能で、他端部に支持受け棒が連接された円筒形の電池ケ−スカバ−が、前記電池ケ−スの外表面に設けた２本の突起と前記電池ケ−スカバ−の内表面の約中央部まで形成した２本のラセン状の溝にスライド可能に嵌合させて、前記透明ケ−スを回転可能にすることも出来る。
【考案の効果】
【０００７】  上述したように本考案ハンドシグナル誘導灯は、透明ケ−スの赤色部と青色部の発光体ＬＥＤを、点灯、消灯するための切り換えスイッチを操作することなく、誘導灯を上下に移動するだけで、赤色部に記した停止の合図と青色部に記した発進の合図を交互に示すことができるので、誘導員の身体的負担と疲労を軽減できるハンドシグナル誘導灯を提供できる。
【考案を実施するための最良の形態】
【０００８】  以下、本考案を実施例を示す図１〜図８に基づいて説明する。【０００９】  図１は本考案の実施例となるハンドシグナル誘導灯の表示部の一部切り欠き側面図で、図２はその横断面図、図３は正面図を示している。図３は、透明または半透明の合成樹脂材から形成された透明ケ−ス１が、楕円形の形をしている外径の上部から下部までの高さが約９０ｍｍ前後で、透明ケ−スの横幅が一番膨らでいる外径から外径までの幅が約４０ｍｍ前後で、楕円形の先端からスイッチケ−スの一端部までの長さが約４０ｃｍしている透明ケ−ス１。前記透明ケ−ス内壁中央部を遮断する形で、黒色遮光板の両面に発光性のある白色の紙１３ａ、１３ｂを貼着して一体化した遮光板１２を透明ケ−ス内部中央に設ける。前記透明ケ−ス１内部中央部を遮断する形で設けられた遮光板が、透明ケ−ス１の内壁と平行に配された遮光板１２の中央部を、発光ＬＥＤの個数分だけ複数箇所を切り欠いた穴に、導線６に対して９０°に接続された赤色ＬＥＤが遮光板を貫通して伸びている。他方面の導線６に青色ＬＥＤ８が９０°に接続されている。前記赤色ＬＥＤ７が配された透明ケ−ス１の内壁側に、塩化ビニ−ル樹脂のビニ−ルフイルムの表面に発光ＬＥＤの光りを拡散されるように微細な凹凸で表面処理されたビニ−ルフイルムが蛍光色で赤色に着色された赤色ビニ−ルフイルム９ａ表面に、黒色ビニ−ルフイルム１０ａ表面に蛍光色で着色された赤色ビニ−ルフイルム９ｂを貼着し、黒色フイルム１０ａと赤色フイルム９ｂが貼着されたビニ−ルフイルムにストップや停止を意味する文字や図形の形に切り抜いたビニ−ルフイルムを、赤色ビニ−ルフイルム９ａ表面に貼着し、赤色フイルム９ａ、黒色フイルム１０ａ、赤色フイルム９ｂの３枚が貼着されて一体化したビニ−ルフイルムを、前記赤色ＬＥＤ７が配されている赤色ＬＥＤ前面の透明ケ−ス１内壁面側に貼着されている。他方面側の透明ケ−ス１の内壁に、蛍光色で青色に着色された青色ビニ−ルフイルム１２ａ表面に、黒色ビニ−ルフイルム１０ｂ表面に蛍光色で青色に着色された青色ビニ−ルフイルム１２ａを貼着し、黒色フイルム１０ｂと青色フイルム１２ｂが貼着されたビニ−ルフイルムを、発進を意味する文字や図形の形に切り抜いたビニ−ルフイルムを青色ビニ−ルフイルム１２ａ表面に貼着し、青色フイルム１２ａ、黒色フイルム１２ｂ、青色フイルム１２ｂの３枚が貼着され一体化した青色ビニ−ルフイルムが、前記青色ＬＥＤ８前面の透明ケ−ス１内壁面側に貼着されている。
上記透明ケ−ス１の内壁中央部を遮断する形で設けられた遮光板１５を支える支持部材１７ａ、１７ｂが遮光板１５を挟んで透明ケ−ス１２の上下に設けられ、支持部材１７は透明ケ−ス１内壁に貼着されている赤色ビニ−ルフイルム９ａ、９ｂと青色ビニ−ルフイルム１２ａ、１２ｂを透明ケ−ス内壁に押着する効果もある。【００１０】    次に、本考案のハンドシグナル誘導灯の全体構造について説明する。図３で示した透明ケ−ス１内部構造をしている透明ケ−ス１外部一端に、スイッチケ−ス２と円筒形の電池ケ−ス３が連接され、電池ケ−ス３の一端部とスイッチケ−ス２の一端部は、電池４交換ができるように挿脱着可能で、電池ケ−ス３とスイッチケ−ス２が挿着されて一体となったた電池ケ−ス３外表面に、電池ケ−スカバ−１９内表面に接着固定された内筒２０の内表面を挿着して、電池ケ−ス３と電池ケ−スカバ−１９が挿着された電池ケ−スカバ−１９の尾底に、支持受け棒２７が連接された誘導灯の全体構成図の平面断面図で、透明ケ−ス１の先端部からスイッチケ−ス２と電池ケ−ス３に挿着された電池ケ−スカバ−の尾底に設けた支持受け棒の先端までの全長は約７０センチから９０センチ程度以上か以下の全長のものでもよい。透明ケ−ス１の全長は約４５センチ程度かそれよりも長くても短くても良く、透明ケ−ス１の外径上部から外径下部の高さが約１０ｃｍ以上でも以下でも良く、透明ケ−ス１の外径から外径までの横幅が約４ｃｍ以上でも以下でも良い。電池ケ−スカバ−１９の尾底に設ける支持受け棒２７は補助的に使用する支持受け棒２７なので、誘導灯を使用するのに邪魔にならないように、支持受け棒２７の数カ所に折り曲げられるように、支持受け棒連結突起２８ａ、２８ｂ、３０ａ、３０ｂと支持受け棒連結突起受け穴２９ａ、２９ｂ、３１ａ、３１ｂ接合連結した支持受け棒２７を尾底に接着結合し、電池ケ−スカバ−１９内表面に、内筒の上部にラセン状の溝２１ａと、内筒下部にラセン状の溝２１ｂの２本のラセン状の溝２１ａ、２１ｂを設けた内筒２０を、電池ケ−スカバ−１９の内表面に接着結合させて一体化した電池ケ−スカバ−１９を電池ケ−ス３挿着するために、電池ケ−ス３内の電源である単２形の電池４を内蔵した電池ケ−ス３に電池け−スカバ−１９を挿着して一体化した誘導灯の電池ケ−スカバ−１９を指の短い人でも握りやすくするために、電池ケ−スカバ−１９の外部上部に取っ手２２を接着結合して誘導灯を持ちやすした取っ手２２の先端部に、紐２４通すための紐穴２３を設けた紐穴２３に紐２４を通して紐２４を肩から吊り下げて、誘導灯を肩から吊り下げた紐２４と取っ手２２で持つことで、誘導灯全体の重量を分散することで長時間の使用にも耐えられる。又電池ケ−スカバ−の側面に、誘導灯の回転を止めて、透明ケ−ス１の赤色部と青色部の一面だけを示すための回転止め具２５を電池ケ−スカバ−１９の外部側面先端中央面に接着結合し、回転止め具２５の先端が二股になっている回転止め具２５を受け止めるための、スイッチケ−ス２の外部側面中央先端面に回転止め突起２６を接着結合した回転止め突起２６と、電池ケ−スカバ−１９の外部側面中央面に接着結合した回転止め具２５を連結することで、誘導灯の回転を止め��ことが出来るハンドシグナル誘導灯の外部全体構造を示した横断平面図２と、一部破断面側面図１である。【００１１】      前記電池ケ−スカバ−の１９内表面に、内筒２０の中央部分まで２本のラセン状の溝２１ａ、２１ｂを、内筒２０の上下に設けた２本のラセン状の溝２１ａ、２１ｂに、電池ケ−スの外部上下に２本の電池ケ−ス突起１８ａ、１８ｂを接着結合した電池ケ−ス突起１８ａ、１８ｂを填め込み挿着することで、透明ケ−ス１、スイッチケ−ス２、電池ケ−ス３が連接されて一体化している誘導灯の電池ケ−ス突起１８ａ、１８ｂを、電池ケ−スカバ−１９の内表面に接着結合された内筒２０の２本のラセン状の溝２１ａ、２１ｂに、電池ケ−ス突起１８ａ、１８ｂを填め込むことで電池ケ−スと電池ケ−スカバ−が挿着され一体化した誘導灯の取っ手２２を持って、取っ手２２を水平状態にした状態から、取っ手２２を下方に移動させることで、ラセン状の溝２１ａ、２１ｂに填め込まれた２本の電池ケ−ス突起１８ａ、１８ｂが、誘導灯自身の重みで内筒２０の２本ラセン状の溝２１ａ、２１ｂに沿って下方に移動することで、誘導灯の赤色部と青色部が回転をして赤色部と青色部が入れ代わる。反対に取っ手２２を水平状態にした状態から、取っ手２２を上方に移動させることで、前記同様の動作で、電池ケ−ス突起１８ａ、１８ｂが内筒２０の２本のラセン状の溝２１ａ、２１ｂに沿って移動した誘導灯自身の重みで下方に下がることで、誘導灯の赤色部と青色部が回転して赤色部と青色部が入れ代わる。電池ケ−ス３の２本の突起１８ａ、１８ｂは、内筒２０の約中間部までしか設けられていない２本のラセン状の溝２１ａ、２１ｂの先端部で止まることで、電池ケ−ス３は内筒２０から抜け落ちることはない。【００１２】  図２で示した内筒３０が、電池ケ−スカバ−２０の内表面に接着固定されている電池ケ−スカバ−２０と内筒３０の断面図で、内筒３０内部に電池ケ−ス２が挿着された誘導灯をスム−ズムに回転させるために、電池ケ−ス２、内筒共、材質は双方ともなめらかな材質を用い、例えば合成樹脂材のプラスチックなどで、電池ケ−ス２外表面と接触する内筒内表面と、ラセン状の溝３１の中に挿着された電池ケ−ス突起１５ａ、１５ｂが、内筒内表面とラセン状の溝３１の中をスム−ズに移動できるような材質を用いることで、誘導灯を上下に移動させたときに、電池ケ−ス外表面２、電池ケ−ス突起１５ａ、１５ｂ、内筒３０内部の摩擦が少なくなることで、誘導灯の回転をスム−ズに得ることができる。前記ラセン状の溝３１に挿着されている電池ケ−ス突起１５ａ、１５ｂが、内筒３０の約中間部までしか設けられていないラセン状溝３１の先端部で、電池ケ−ス突起１５ａ、１５ｂが止まることで、電池ケ−スカバ−２０の内表面に接着固定されている内筒３０から誘導灯が抜け落ちることはない。【００１３】  次に図４に示した図は、前記の透明ケ−ス１の片面内壁側に貼着された赤色ビニ−ルフイルム９ａ、９ｂに停止を意味する文字で、例としてストップの文字を記しているがロ−マ字でＳＴＯＰ、などの文字を記してもよく、透明ケ−ス１を透過して赤色ビニ−ルフイルム９ａ、９ｂに記した文字が透明ケ−スに現れ、他方面側に前記同様の、青色ビニ−ルフ���ルム１２ａ、１２ｂに発進を意味するスタ−トの文字を記しているがロ−マ字でＳＴＡＲＴの文字の前後に矢印などの図形を記してもよく、透明ケ−ス１を透過して青色ビニ−ルフイルム１２ａ、１２ｂに記した文字や図形が透明ケ−スに現れている。透明ケ−ス１の内部中央に遮光板１５を配したことで、赤色ＬＥＤ７と青色ＬＥＤ８の明かりを同一の透明ケ−ス１内部で同時に点滅することができ、前記赤色ビニ−ルフイルム９ａの表面に黒色ビニ−ルフイルム１０ａと赤色ビニ−ルフイルム９ｂを貼着して、黒色ビニ−ルフイルム１０ａと赤色ビニ−ルフイルム９ｂをストップの文字の形に切り抜いた部分に、赤色ビニ−ルフイルム９ａの表面に白色で着色する。透明ケ−ス１内部から赤色フイルムに赤色ＬＥＤ７を照射することで、赤色ビニ−ルフイルム９ａ表面に貼着した白色の文字が浮き上がる。黒色ビニ−ルフイルム１０ａを、赤色ビニ−ルフイルム９ａと赤色フイルム９ｂの間に挟み込むことで白色文字が赤色に埋没することなく赤色フイルム９ｂ上に白色の文字が浮かび上がる。他方面の青色ビニ−ルフイルム１２ａの表面に、黒色ビニ−ルフイルム１０ｂと青色ビニ−ルフイルム１２ｂを貼着した青色ビニ−ルフイルム１２ｂも前記赤色ビニ−ルフイルム９ａ、９ｂと同様の構造をしているので、青色ビニ−ルフイルムも赤色ビニ−ルフイルムと同様の効果が得られる。図１図２で示した内部構造をした、透明ケ−ス１の外部一端部とスイッチケ−ス２と電池ケ−ス３が連接されている透明ケ−ス１とスイッチケ−スと電池ケ−スの図４の側面展開図。【００１４】  図５は、前記電池ケ−スカバ−１９の外表面上部に取っ手２４を接着固定し、取っ手の先端の穴に吊り下げ紐を設け、電池ケ−スカバ−１９の外表面側面に回転止め具２５を接着固定した電池ケ−スカバ−１９の尾底に支持受け棒２７を接着結合した、電池ケ−スカバ−１９、取って２２、支持受け棒２７の外部全体構成図。【００１５】  図６は、上記電池ケ−スカバ−１９の内表面に、２本のラセン状の溝２１ａ、２１ｂを内筒２０の上下に設けた内筒２０を電池ケ−スカバ−１９の内表面に接着結合し、電池ケ−スカバ−１９の外表面に取っ手を接着結合した電池ケ−スカバ−１９の尾底に、支持受け棒２７を接着結合され、電池ケ−スカバ−１９と内筒２０の断面を示した電池ケ−スカバ−１９、取っ手２２、支持受け棒２７の全体構成一部断面側面図。【００１６】  図７は、上記電池ケ−スカバ−１９の内表面に内筒２０が接着結合され、電池ケ−スカバ−１９の外表面上部に、取っ手２２を接着結合した取っ手２２の先端に紐２４を通す穴２３を設けた穴２３を点線で示した電池ケ−スカバ−１９と取っ手２２の正面図。【００１７】  図８は、前記電池ケ−スカバ−１９の尾底に、支持受け棒２７が接着結合され、電池ケ−スカバ−１９の外表面に回転止め具２５が接着結合され、電池ケ−スカバ−１９の内表面に２本のラセン状の溝２１ａ、２１ｂを一部点線で示した内筒２０を、電池ケ−スカバ−１９の内表面に設けた内筒２０と電池ケ−スカバ−１９の横断面の電池ケ−スカバ−１９の尾底に、支持受け棒２７が接着結合されている支持受け棒２７の支持受け棒連結結合突起２８ａ、２８ｂ、３０ａ、３０ｂと支持受け棒��結結合突起受け穴２９ａ、２９ｂ、３１ａ、３１ｂの内部構造を点線示し、電池ケ−スカバ−１９の外表面上部に取っ手２２が接着結合された取っ手２２の先端に設けた紐２３を通す穴を点線で示した、電池ケ−スカバ−１９と取っ手２２と支持受け棒２７の一部横断面平面図。【００１８】  以下、上記構成の動作を説明する。前記図１と図２と図３で示した誘導灯を、水平状態にした状態から誘導灯を下方に移動させることで、電池ケ−スカバ−１９内表面に接着固定した内筒２０に設けたラセン状の溝２１ａ、２１ｂに、電池ケ−ス突起１８ａ、１８ｂが挿着されている電池ケ−ス突起１８ａ、１８ｂが、誘導灯自身の重みで２本のラセン状の溝２１に沿ってラセン状に下方に移動することで誘導灯が回転する。逆に取っ手２２を水平状態から上方に移動させることで、上方に移動した誘導灯自身の重みで、電池ケ−ス突起１８ａ、１８ｂがラセン状の溝２１ａ、２１ｂに沿って、ラセン状に取っ手２２に向かって誘導灯が下降することで誘導灯が回転する。取っ手２２を上下に移動するだけで自動的に誘導灯の赤色部と青色部を交互に示すことができ、例えば道路工事の現場などで、一方向に、透明ケ−スの赤色フイルムの表面９ａ、に白色で停止を意味するストップ１１の文字を示すことで停止の合図ができ、同時に反対方向に青色フイルム１２ａ、の表面に白色で発進を意味するスタ−トの文字の前後に矢印１４の図形を記した面を示すことで発進の合図を明確に示すことができるため、従来のように、誘導灯を振り回して停止、発進の合図をすることなく、赤色部に記した停止を意味する文字と青色部に記した発進を意味する文字を交互に示すことで停止、発進の合図が明確にでき、昼間は発光体に点灯することなく赤色部に記した停止を意味する文字を示し停止の合図ができ、青色部に記した発進を意味する文字を示し発進の合図を交互に示し、夜間は発光体を点滅状態にした赤色部に記した停止を意味する文字を示し、青色部に記した発進を意味する文字を示すことで発進の合図を明確に示すと同時に、一方向に停止の合図を示し、他方向に発進の合図を同時に出来ることで、停止、発進の合図を効率よく交通整理が出来るという効果が得られる。
【図面の簡単な説明】
【００１９】
【図１】  本考案の実施形態を示すハンドシグナル誘導灯の１部破断面側面図。
【図２】  同誘導灯の透明ケ−ス、スイッチケ−ス、電池ケ−スの１部断面図。
【図３】  同誘導灯の透明ケ−スの正面図。
【図４】  同誘導灯の透明ケ−スに文字を記した透明ケ−ス、スイッチケ−ス、電池ケ−スの側面展開図。
【図５】  同誘導灯の電池ケ−スカバ−、取っ手、吊り下げ紐、回転止め具、誘導灯支持受け棒の側面図。
【図６】  同誘導灯の電池ケ−スカバ−、取っ手、吊り下げ紐、支持受け棒、内筒の１部断面図
【図７】  同誘導灯の電池ケ−スカバ−、取っ手、回転止め具、内筒の正面図。
【図８】  同誘導灯の電池ケ−スカバ−、取っ手、回転止め具、支持受け棒の一部断面平面図。
【符号の説明】
【００２０】１    透明ケ−ス                    ２０    内筒
２    スイッチケ−ス                ２１    ラセン状溝ａ
３    電池ケ−ス                    ２１    ラセン状溝ｂ
４    電池                          ２２    取っ手
５    電源スイッチ                  ２３    紐通し穴
６    導線                          ２４    紐
７    赤色ＬＥＤ                    ２５    回転止め具
８    青色ＬＥＤ                    ２６    回転止め突起
９    赤色フイルムａ                ２７    支持受け棒
９    赤色フイルムｂ                ２８    支持受け棒連結結合突起ａ
１０  黒色フイルムａ                ２８    支持受け棒連結結合突起ｂ
１０  黒色フイルムｂ                ２９    支持受け棒連結結合突起受け穴ａ
１１  白色文字ストップ              ２９    支持受け棒連結結合突起受け穴ｂ
１２  青色フイルムａ                ３０    支持受け棒連結結合突起ａ
１２  青色フイルムｂ                ３０    支持受け棒連結結合突起ｂ
１３  白色文字スタ−ト              ３１    支持受け棒連結結合突起受け穴ａ
１４  矢印図形                      ３１    支持受け棒連結結合突起受け穴ｂ
１５  黒色遮光紙
１６  白色フイルムａ
１６  白色フイルムｂ
１７  透明支持部材ａ
１７  透明支持部材ｂ
１８  電池ケ−ス突起ａ
１８  電池ケ−ス突起ｂ
１９  電池ケ−スカバ−
【図１】
0003107498.tif 000003
【図２】
0003107498.tif 000004
【図３】
0003107498.tif 000005
【図４】
0003107498.tif 000006
【図５】
0003107498.tif 000007
【図６】
0003107498.tif 000008
【図７】
0003107498.tif 000009
【図８】
0003107498.tif 000010